(57)【特許請求の範囲】
【請求項１】
装着者の頭部を覆うためのヘルメット本体部分を有し、
このヘルメット本体部分は、装着者の頭部に接する内側シェルと、この内側シェルの外周面に取り付けた外側シェルとを備え、
前記外側シェル部分は、面外剛性の高い素材から形成された硬質シェル部分と面外剛性の低い素材から形成された軟質シェル部分と、前記硬質シェル部分における頭部外周方向に離れている部分の間に架け渡したサイズ調整用の紐とを備えており、
前記サイズ調整用の紐により前記頭部外周方向に離れている部分の間隔を調整することにより、装着者の頭部サイズに対応可能となっていることを特徴とするヘルメット。
【請求項２】
請求項１において、
前記ヘルメット本体部分の前縁部分に形成された庇部分を有しており、
この庇部分は、前記内側シェルあるいは前記外側シェルから連続している固定側庇部分と、この固定側庇部分に取り外し可能な状態で取り付けられている取り外し側庇部分とを備えていることを特徴とするヘルメット。
【請求項３】
請求項１または２において、
ヘルメット本体部分を装着者の頭部に固定するためのあごバンドを有し、
このあごバンドは、前記ヘルメット本体部分の左右の開口縁部分にそれぞれ取り付けられた第１および第２のバンドと、これら第１および第２のバンドを長さ調整可能な状態で、且つ取り外し可能な状態で相互に連結している連結具とを備えており、
前記外側シェル部分の外周面には、連結が解除された前記第１および第２のバンドを収納するために、当該外周面に沿って形成されたバンド収納溝が形成されていることを特徴とするヘルメット。
【請求項４】
請求項３において、
前記バンド収納溝に収納された前記第１および第２のバンドを前記連結具により前記外側シェルの頂部で連結した状態において、当該連結部分を覆い隠す状態で当該連結部分を外側シェルの頂部に固定するバンド固定部を有していることを特徴とするヘルメット。
【発明の詳細な説明】
【０００１】
【発明の属する技術分野】
本発明は、通常の帽子を着用する場面などにおいても使用可能な多目的用のヘルメットに関するものである。
【０００２】
【従来の技術】
ヘルメットは、運動や工事現場などにおいて頭部を保護するために着用されている。従って、ヘルメット全体が剛性の高いプラスチック成形品などからなるシェルによって形成されているのが一般的である。
【０００３】
【発明が解決しようとする課題】
ここで、通学、通勤のための自転車に乗る場合や、レクリエーションのために軽い運動をする場合、あるいは、足腰の弱い老人などが散歩を行う場合にも、頭部保護用のヘルメットは必要である。このような場合には、運動選手や工事現場で着用されている所定の安全基準を満たすような強固なヘルメットを着用する必要はないが、転倒した場合などのためには頭部保護用の帽子を着用することが望ましい。
【０００４】
しかしながら、従来においては、このような用途で着用するのに適したヘルメットは何ら提案されていない。
【０００５】
本発明の課題は、所定の頭部保護機能を備えていると共にデザイン性にも優れた多目的用のヘルメットを提案することにある。
【０００６】
【課題を解決するための手段】
上記の課題を解決するために、本発明のヘルメットは、
装着者の頭部を覆うためのヘルメット本体部分を有し、
このヘルメット本体部分は、装着者の頭部に接する内側シェルと、この内側シェルの外周面に取り付けた外側シェルとを備え、
前記外側シェルは、面外剛性の高い素材から形成された硬質シェル部分と面外剛性の低い素材から形成された軟質シェル部分と、前記硬質シェル部分における頭部外周方向に離れている部分の間に架け渡したサイズ調整用の紐とを備えており、
前記サイズ調整用の紐により前記頭部外周方向に離れている部分の間隔を調整することにより、装着者の頭部サイズに対応可能となっていることを特徴としている。
【０００７】
本発明のヘルメットは、外側シェルが硬質シェル部分と軟質シェル部分から形成されており、硬質シェル部分によって所定の頭部保護機能を実現することができ、また、硬質シェル部分および軟質シェル部分の素材および形状、色合いなどを適切に設定することにより外観デザインの優れたヘルメットを実現できる。
【０００８】
また、サイズ調整用の紐を緊結することにより、装着者の頭部サイズに対応させることができるので、従来のような頭部サイズに合わせるための頭部バンドなどを取り付ける必要がないので、頭部にフィットしたヘルメットを実現できる。
【０００９】
次に、本発明のヘルメットは、前記ヘルメット本体部分の前縁部分に形成された庇部分を備えた構成とすることができる。この場合には、この庇部分は、前記内側シェルあるいは前記外側シェルから連続している固定側庇部分と、この固定側庇部分に取り外し可能な状態で取り付けられている取り外し側庇部分とを備えた構成とすることができる。このようにすれば、装着者の嗜好に応じて、大小の庇付きのヘルメットに変えることができるので、便利である。
【００１０】
また、本発明のヘルメットは、ヘルメット本体部分を装着者の頭部に固定するためのあごバンドを備えた構成とすることができる。この場合には、このあごバンドは、前記ヘルメット本体部分の左右の開口縁部分にそれぞれ取り付けられた第１および第２のバンドと、これら第１および第２のバンドを長さ調整可能な状態で、且つ取り外し可能な状態で相互に連結している連結具とを備えた構成とし、前記外側シェル部分の外周面には、連結が解除された前記第１および第２のバンドを収納するために、当該外周面に沿って形成されたバンド収納溝を形成した構成とすることができる。このようにすれば、必要な場合にはあごバンドを結び、ヘルメットが外れないように頭部に固定することができ、また、あごバンドを使用しない場合には、それを邪魔にならないように、しかも、ヘルメットの外観デザインを阻害しないように収納することができる。さらには、あごバンド収納時にはあごバンドによってヘルメット外観が変化するので、デザイン上の点からも望ましい。
【００１１】
また、この場合においては、前記バンド収納溝に収納された前記第１および第２のバンドを前記連結具により前記外側シェルの頂部で連結した状態において、当該連結部分を覆い隠す状態で当該連結部分を外側シェルの頂部に固定するバンド固定部を有していることが望ましい。
【００１２】
【発明の実施の形態】
以下に、図面を参照して、本発明を適用したヘルメットの実施例を説明する。
【００１３】
（実施例１）
図１〜図８には、本発明の実施例１に係るヘルメットを示してある。図１は本例のヘルメット１の右側側面図であり、図２は正面図であり、図３は背面図であり、図４は平面図である。本例のヘルメット１は、装着者の頭部を覆うためのヘルメット本体部分２と、この前側の開口縁部分に取り付けた三日月状の庇３と、ヘルメット本体部分２の左右および後側の開口縁部分に取り付けられているあごバンド４とを有している。
【００１４】
ヘルメット本体部分２は、装着者の頭部に接する内側シェル５（後述の図８参照）と、この内側シェル５が内周面に取り付けられている外側シェル６とを備えている。外側シェル６は、面外剛性の高いプラスチックなどの素材から形成された硬質シェル部分７と、面外剛性の低い厚手の不織布などの素材から形成された軟質シェル部分８と、硬質シェル部分７における頭部外周方向に離れている部分の間に架け渡したサイズ調整用の紐９とを備えている。
【００１５】
本例の硬質シェル部分７は、ヘルメット本体部分２における左右の部分から後側の部分を覆う形状とされ、その頂部から前側部分に亘って開口が形成され、この開口は、硬質シェル部分７の裏面側に貼り付けた軟質シェル部分８によって覆われている。硬質シェル部分７の左右の部分７ａ、７ｂの間にサイズ調整用の紐９が架け渡されている。硬質シェル部分７の左右の部分７ａ、７ｂを紐９によって相互に接近する方向に引き寄せると、この硬質シェル部分７の開口縁部分が全体として円周方向に窄まる。よって、ある程度の範囲内で、紐９によって、装着者の頭部サイズに合うように、ヘルメット本体部分２のサイズを調整できる。
【００１６】
次に、あごバンド４はヘルメット本体部分２を装着者の頭部に固定するためのものであり、左側バンド部分１１と、右側バンド部分１２と、これらがヘルメット後側で繋がっている後側部分１３を備えた皮革などから形成されたものである。左側バンド部分１１の先端には金具などからなるバンド通し孔１４が取り付けられている。右側バンド部分１２の先端部分の表面には、一定長さの雄側および雌側の面ファスナ１５、１６がバンド長さ方向に沿って一定の間隔で取り付けられている。従って、バンド通し孔１４に通した右側バンド部分１２における面ファスナ１５、１６を相互に貼り合わせる位置を調整することにより、あごバンド４の長さを調整して、ヘルメット１が移動しないように装着者の頭部に固定できる。
【００１７】
ここで、ヘルメット本体部分２における硬質シェル部分７の外周表面には、あごバンド４を収納するためのバンド収納部が形成されている。すなわち、硬質シェル部分７の左側部分７ａおよび右側部分７ｂのそれぞれには、左右のバンド部分１１、１２を上方に折り曲げて球面状の硬質シェル部分７の外周表面に沿って配置した場合における、これらバンド部分１１、１２に対応する形状の二又状に分岐しているバンド収納溝２１、２２が形成されている。同様に、硬質シェル部分７の後側部分７ｃにも、あごバンド４の後側部分１３を上方に折り曲げて球面状の硬質シェル部分７の外周表面に沿って配置した場合における、当該後側部分７ｃに対応する形状のバンド収納凹部２３が形成されており、このバンド収納凹部２３は左右のバンド収納溝２１、２２に連続している。
【００１８】
図５はあごバンド４を外した状態を示すヘルメットの正面図であり、図６は外したあごバンド４の左右のバンド部分１１、１２をバンド収納溝２１、２２およびバンド収納凹部２３に収納して再び連結した状態を示すヘルメットの平面図である。ヘルメット本体部分２の頂部は軟質シェル部分８によって形成されており、この軟質シェル部分８におけるヘルメット頂部よりも前側の位置には、収納状態のあごバンド４をその状態に保持すると共に、左右のバンド部分１１、１２の連結部分を覆い隠すための皮革などからなるタグ２４が取り付けられている。このタグ２４の裏面先端部分には雄側あるいは雌側の面ファスナ２５が縫い付けられている。このタグ２４により左右のバンド部分１１、１２を覆った状態において、当該タグ２４の面ファスナ２５が位置する部分には、雌側あるいは雄側の面ファスナ２６が軟質シェル部分８に縫い付けられている。
【００１９】
従って、図５に示すようにあごバンド４を外した後に、上に折り曲げて、バンド収納溝２１、２２および凹部２３に収納して、図６に示すようにヘルメット頂部で相互に連結した後に、タグ２４で当該連結部分を覆って、面ファスナ２５を面ファスナ２６に貼り合わせると、あごバンド４の収納状態が形成される（後述の図７参照）。
【００２０】
次に、本例のヘルメット１の庇３は、内側シェル５あるいは外側シェル６から連続して前方に突出している固定側庇部分３１と、この固定側庇部分３１に取り外し可能な状態で取り付けられている取り外し側庇部分３２から構成されている。図７は、取り外し側庇部分３２を取り外した状態を示すヘルメットの平面図であり、図８は同一の状態におけるヘルメットの裏面図である。本例の固定側庇部分３１は外側シェル６の軟質シェル部分８の前縁部分から前方に突出している。勿論、この固定側庇部分３１を硬質シェル部分７の前縁部分に一体形成したものとしてもよい。
【００２１】
取り外し側庇部分３２は、例えば硬質シェル部分７と同一素材から形成された硬質のものであり、その中央部分が矩形状態で一段下がった凹部３２ａとされており、この凹部３２ａの両側には前後方向に延びる差込用スリット３２ｂ、３２ｃが形成されている。固定側庇部分３１をこれら差込用スリット３２ｂ、３２ｃに差し込むと、取り外し側庇部分３２における凹部３２ａの表面と、当該取り外し側庇部分３２の左右の部分の裏面との間に固定側庇部分３１が保持された状態が形成される。換言すると、取り外し側庇部分３２が固定側庇部分３１に対して上下の位置が規定された状態で取り付けられる。
【００２２】
また、取り外し側庇部分３２の左右の部分には固定用のタグ３３、３４が取り付けられており、これらのタグ３３、３４の表面には面ファスナ３３ａ、３４ａが縫い付けられている。固定側庇部分３１の左右の端部の裏面には、これらの面ファスナ３３ａ、３４ａに対応する位置に面ファスナ３５、３６が縫い付けられている。従って、取り外し側庇部分３２を固定側庇部分３１に対して取り外し可能な状態で取り付けることができる。
【００２３】
（実施例２）
図９〜図１５は本発明の実施例２に係るヘルメットを示す図であり、図９はその左前側から見た場合の斜視図、図１０は左後側から見た場合の斜視図、図１１は左側側面図、図１２は正面図、図１３は背面図、図１４は平面図、図１５は裏面図である。これらの図を参照して説明すると、本例のヘルメット１０１は、装着者の頭部を覆うためのヘルメット本体部分１０２と、この前側の開口縁部分に取り付けた三日月状の庇１０３と、ヘルメットサイズ調整用の紐１０９とを有している。
【００２４】
ヘルメット本体部分１０２は、装着者の頭部に接する内側シェル１０５と、この内側シェル１０５が内周面に取り付けられている外側シェル１０６とを備えている。外側シェル１０６は、面外剛性の高いプラスチックなどの素材から形成された硬質シェル部分１０７と、面外剛性の低い厚手の不織布などの素材から形成された軟質シェル部分１０８とを備えており、硬質シェル部分１０７における頭部外周方向に離れている部分の間にはサイズ調整用の紐１０９を架け渡してある。
【００２５】
本例の硬質シェル部分１０７は、ヘルメット本体部分１０２における左右に形成された逆Ｖ字状部分１１１、１１２と、この部分からヘルメット開口縁に沿って後方に延びている連続部分１１３、１１４と、ヘルメットの頂部および後側の部分を覆っている後側部分１１５を備えており、この後側部分１１５に左右の連続部分１１３、１１４が連続している。
【００２６】
また、後側部分１１５の後端中央には左右に長い楕円状の開口１１６が形成され、ヘルメット開口縁部分は、この開口１１６に連続している縦スリット１１７によって左右に分離している。さらに、本例では、左右の逆Ｖ字状部分１１１、１１２の前端縁から前方に連続して、庇左側端部分１１８、１１９が一体形成されている。なお、硬質シェル部分１０７の後側部分１１５の上下方向の中程の位置には、ロゴマークが表示された表示面１２０が形成されている。
【００２７】
次に軟質シェル部分１０８は、硬質シェル部分１０７によって囲まれているヘルメット前側部分を覆っており、不織布などからなる厚手の素材から形成されている。本例の軟質シェル部分１０８は、その左右および後側の縁が硬質シェル部分１０７の左右および後側の部分の裏面に取り付けられている。また、その前縁からは、庇部分１２１が連続して延びている。本例の軟質シェル部分１０８においては、その前側部分に円弧状の縫い合わせ線１２２が現れており、デザイン上の変化が付けられている。
【００２８】
ここで、本例のサイズ調整用の紐１０９は、図１５から分かるように、ヘルメット開口縁を規定している硬質シェル部分１０７の開口縁に取り付けた筒１２３ａ、１２３ｂ、１２３ｃを通して引き回されて、その後端中央位置において、長さ調整具１２４に連結されている。また、硬質シェル部分１０７における左右の逆Ｖ字状部分１１１、１１２においては、これらの間に形成されている紐通し孔１１１ａ、１１２ａに架け渡された状態になっている。
【００２９】
この紐１０９を引張ってその長さを調整すると、硬質シェル部分１０７の開口縁が全体として窄まるので、ヘルメットサイズを調整できる。よって、サイズ調整用のヘッドバンドなどが不要となり、また、ヘルメットが頭部にフィットした状態で装着されるので、装着感および見た目も良いという利点がある。
【００３０】
（実施例３）
図１６〜図１９は本発明の実施例３に係るヘルメットを示す図であり、図１６はその右側側面図、図１７は平面図、図１８は正面図、図１９は背面図である。本例のヘルメット２０１は、装着者の頭部を覆うためのヘルメット本体部分２０２と、この前側の開口縁部分に取り付けた三日月状の庇２０３と、ワイヤ２０９とを有している。
【００３１】
ヘルメット本体部分２０２は、装着者の頭部に接する内側シェル（図示せず）と、この内側シェルが内周面に取り付けられている外側シェル２０６とを備えている。外側シェル２０６は、面外剛性の高いプラスチック、軽量金属などの素材から形成された硬質シェル部分２０７と、面外剛性の低い厚手の不織布などの素材から形成された軟質シェル部分２０８とを備えており、硬質シェル部分２０７における頭部外周方向に離れている部分の間にはワイヤ２０９を架け渡してある。
【００３２】
本例の硬質シェル部分２０７は、ヘルメット前側部分の開口縁に沿って形成されているほぼ一定幅の前側部分２１１と、ヘルメット後側部分を覆っている後側部分２１２とを備えている。これら前側部分２１１および後側部分２１２における開口縁側の部分には２本のワイヤ２０９が円周方向に引き回されている。
【００３３】
これら前側部分２１１および後側部分２１２の裏面側の内周面には軟質シェル部分２０８が接合されており、ヘルメット頂部から硬質シェル部分２０７の前側部分２１１までを覆っている前側部分２２１は織り目の細かな素材から形成されており、この部分の前端縁には庇２０３が一体形成されている。軟質シェル部分２０８の後側部分２２２は織り目の粗いメッシュ状の素材から形成されている。この後側部分２２２は、硬質シェル２０７における前後の部分２１１、２１２の間の隙間部分、および当該後側部分２１２に形成した開口２１２ａから露出している。
【００３４】
本例のヘルメット２０１では、その硬質シェル部分２０７の開口縁に沿ってワイヤー２０９がループ状に取り付けられている。このワイヤー２０９を引っ張ることにより、硬質シェル部分２０７の前後の部分２１１、２１２の隙間２０７ａを調整でき、これによって、ヘルメットサイズを調整できる。また、硬質シェル部分２０７とワイヤ２０９とによって、ヘルメットに所定の剛性を不要することができる。
【００３５】
【発明の効果】
以上説明したように、本発明のヘルメットでは、装着者の頭部を覆うためのヘルメット本体部分が、装着者の頭部に接する内側シェルと、この内側シェルの外周面に取り付けた外側シェルから構成され、外側シェルが、面外剛性の高い素材から形成された硬質シェル部分と面外剛性の低い素材から形成された軟質シェル部分と、硬質シェル部分における頭部外周方向に離れている部分の間に架け渡したサイズ調整用の紐とを備えている。
【００３６】
本発明のヘルメットは、外側シェルが硬質シェル部分と軟質シェル部分から形成されており、硬質シェル部分によって所定の頭部保護機能を実現することができ、また、硬質シェル部分および軟質シェル部分の素材および形状、色合いなどを適切に設定することにより外観デザインの優れたヘルメットを実現できる。
【００３７】
また、サイズ調整用の紐を緊結することにより、所定の範囲内において装着者の頭部サイズに対応させることができるので、従来のような頭部サイズに合わせるための頭部バンドなどを取り付ける必要がなく、頭部にフィットしたヘルメットを実現できる。
【００３８】
次に、本発明のヘルメットでは、ヘルメット本体部分の前縁部分に形成された庇部分が、内側シェルあるいは外側シェルから連続している固定側庇部分と、この固定側庇部分に取り外し可能な状態で取り付けられている取り外し側庇部分とを備えた構成となっている。従って、装着者の嗜好に応じて、大小の庇付きのヘルメットに変えることができるので、便利である。
【００３９】
また、本発明のヘルメットでは、ヘルメット本体部分を装着者の頭部に固定するためのあごバンドが、ヘルメット本体部分の外側シェル部分の外周面に形成したバンド収納溝に収納可能となっている。従って、必要な場合にはあごバンドを結び、ヘルメットが外れないように頭部に固定することができ、また、あごバンドを使用しない場合には、それを邪魔にならないように、しかも、ヘルメットの外観デザインを阻害しないように収納することができる。さらには、あごバンド収納時にはあごバンドによってヘルメット外観が変化するので、デザイン上の点からも望ましい。
【図面の簡単な説明】
【図１】本発明を適用した実施例１に係るヘルメットの右側側面図である。
【図２】図１のヘルメットの正面図である。
【図３】図１のヘルメットの背面図である。
【図４】図１のヘルメットの平面図である。
【図５】あごバンドを外した状態の図１のヘルメットを示す正面図である。
【図６】あごバンドの左右のバンド部分をバンド収納溝に収納した状態の図１のヘルメットを示す平面図である。
【図７】取り外し側庇部分を取り外した状態の図１のヘルメットを示す平面図である。
【図８】図７の状態におけるヘルメットの裏面図である。
【図９】本発明の実施例２に係るヘルメットを示す左前側から見た場合の斜視図である。
【図１０】図９のヘルメットを左後側から見た場合の斜視図である。
【図１１】図９のヘルメットの左側側面図である。
【図１２】図９のヘルメットの正面図である。
【図１３】図９のヘルメットの背面図である。
【図１４】図９のヘルメットの平面図である。
【図１５】図９のヘルメットの裏面図である。
【図１６】本発明の実施例３に係るヘルメットの右側側面図である。
【図１７】図１６のヘルメットの平面図である。
【図１８】図１６のヘルメットの正面図である。
【図１９】図１６のヘルメットの背面図である。
【符号の説明】
１、１０１、２０１  ヘルメット
２、１０２、２０２  ヘルメット本体部分
３、１０３、２０３  庇
４    あごバンド
５、１０５  内側シェル
６、１０６、２０６  外側シェル
７、１０７、２０７  硬質シェル部分
８、１０８、２０８  軟質シェル部分
９、１０９  サイズ調整用の紐
２０９  ワイヤ
【図１】
0003999553.tif 000002
【図２】
0003999553.tif 000003
【図３】
0003999553.tif 000004
【図４】
0003999553.tif 000005
【図５】
0003999553.tif 000006
【図６】
0003999553.tif 000007
【図７】
0003999553.tif 000008
【図８】
0003999553.tif 000009
【図９】
0003999553.tif 000010
【図１０】
0003999553.tif 000011
【図１１】
0003999553.tif 000012
【図１２】
0003999553.tif 000013
【図１３】
0003999553.tif 000014
【図１４】
0003999553.tif 000015
【図１５】
0003999553.tif 000016
【図１６】
0003999553.tif 000017
【図１７】
0003999553.tif 000018
【図１８】
0003999553.tif 000019
【図１９】
0003999553.tif 000020